(57)【要約】【課題】不特定のユーザが使用する施設内で、施設管理側に負担をかけず、普段はＣＡＳカードを所持していないユーザも限られたデジタル放送は視聴することが可能で、普段からＣＡＳカードを所持し使用しているユーザにも普段通りの視聴環境を与える。【解決手段】予め所定のデジタル放送の視聴のために得た解除情報が記憶されたＣＡＳカードを固定的に装着した第１のＣＡＳカードスロット15と、ユーザ持参の任意のＣＡＳカードを着脱自在に装着する第２のＣＡＳカードスロット16と、この第２のスロット16にカードが装着されている場合はそのカードに記憶された解除情報を、装着されていない場合は第１のスロット15に装着されているカードに記憶された解除情報を選択的に読出してそのデジタル放送を視聴するための解除処理を実行させる制御部18とを備える。【選択図】      図１
2005167993.tif 000002
【特許請求の範囲】
【請求項１】
施設内に設置され、不特定多数のユーザに使用されるデジタル放送受信装置であって、
予め所定のデジタル放送事業者との契約により当該デジタル放送の視聴のために得た解除情報が記憶されたカードを固定的に装着した第１のカード装着部と、
任意のデジタル放送の視聴のために得た解除情報が記憶されたカードを着脱自在に装着する第２のカード装着部と、
この第２のカード装着部にカードが装着されている場合はそのカードに記憶された解除情報を、装着されていない場合は上記第１のカード装着部に装着されているカードに記憶された解除情報を選択的に読出してそのデジタル放送を視聴するための解除処理を実行させるカード制御手段と
を具備したことを特徴とするデジタル放送受信装置。
【請求項２】
通信回線を介して上記施設外部との通信を行なう通信手段と、
上記第２のカード装着部にカードが装着されている場合は上記通信回線を接続可能とし、装着されていない場合は上記通信回線を遮断する通信制御手段と
をさらに具備したことを特徴とするデジタル放送受信装置。
【請求項３】
上記カード制御手段は、ユーザの選択操作を受付けて、上記第１のカード装着部に装着されたカードと第２のカード装着部に装着されているカードの一方から解除情報を読出すことを特徴とする請求項１記載のデジタル放送受信装置。
【請求項４】
上記第１のカード装着部及び上記第２のカード装着部の少なくとも一方は複数枚のカードを装着可能としたことを特徴とする請求項１記載のデジタル放送受信装置。
【発明の詳細な説明】
【技術分野】
【０００１】
本発明は、ホテルや旅館などの宿泊施設、あるいは病院施設等で、不特定多数の利用者が視聴制限のかけられたデジタル放送を視聴するデジタル放送受信装置に関する。
【背景技術】
【０００２】
ＢＳデジタル放送及び１１０°ＣＳデジタル放送を受信する衛星デジタル放送対応のテレビ受像機やチューナ装置では、ＣＡＳ（Ｃｏｎｄｉｔｉｏｎａｌ  Ａｃｃｅｓｓ  Ｓｙｓｔｅｍ）と呼称される、視聴制御システムの機能が予め内蔵されており、別途業者との契約を行なうことで、専用のＩＣカード（以下「ＣＡＳカード」と称する）を所定のカードスロットに挿入すると、ペイ・パー・ビューを含んだ有料放送やデータ放送による双方向サービスなどを視聴、利用することが可能となっている。
【０００３】
加えて、地上波のデジタル放送でも近い将来、このＣＡＳカードを使用して視聴制限を行なうことが計画されている。
【０００４】
上記ＣＡＳに係る個人契約情報は、テレビ受像機やチューナ装置などの製品購入時に添付されている上記ＣＡＳカードに記憶される。個々のＣＡＳカードには、スクランブルの解除等の処理の基となる固有の暗号鍵が記憶され、放送事業者は、視聴者の契約情報をこの暗号鍵で暗号化して送信する。これを受信するユーザ側では、装置にＣＡＳカードを挿入することで、スクランブルの解除を含めて、契約した放送の視聴等が可能となる。
【０００５】
しかして、該ユーザが所持するＣＡＳカードは、有料放送を視聴する権利を購入履歴情報として記憶し、ＣＡＳカードに対応した装置であればいずれにも使用することができる。したがって、ＩＣカードの一種であるために携帯性にも優れていることを考え合わせると、自宅以外でも、ＣＡＳカードに対応した装置が設置されている場所であれば、自宅と同等の有料放送の視聴環境を実現できる。このＣＡＳカードに関する技術が、以下の特許文献に詳述されている。（例えば、特許文献１）
【特許文献１】特開平０４−１３８７３５号公報
【発明の開示】
【発明が解決しようとする課題】
【０００６】
一般家庭などで特定のユーザがＣＡＳカードに対応した装置を使用する場合は何ら問題ないが、例えばホテルや旅館などの宿泊施設で客室毎、あるいは病院などの入院施設でベッド毎に設置されるテレビ受像機がＣＡＳカードに対応した装置であった場合、予めＣＡＳカードを所持しているユーザは、自宅と同等の視聴環境を容易に実現できる反面、当然ながら、ＣＡＳカードを所持していないユーザは、その装置自体は有料放送の受信に対応したものであるにも拘わらず、当該有料放送の視聴サービスを一切受けることができない。
【０００７】
そこで、ある程度一般的な有料放送の視聴が可能なＣＡＳカードを施設側で予め用意し、有料または無料で施設ユーザに貸与するサービスも考えられるが、カードの紛失や盗難等の発生の可能性を考慮すると、施設管理を行なう者にとっては、業務がさらに煩雑となることが充分予想され、あまり現実的ではない。
【０００８】
本発明は上記のような実情に鑑みてなされたもので、その目的とするところは、不特定多数のユーザが使用する施設内で、施設を管理する側には負担をかけずに、普段はＣＡＳカードを所持していないユーザもある程度のデジタル放送は視聴することが可能で、且つ普段からＣＡＳカードを所持し使用しているユーザにも普段通りの視聴環境を与えることが可能なデジタル放送受信装置を提供することにある。
【課題を解決するための手段】
【０００９】
請求項１記載の発明は、施設館内に設置され、不特定多数のユーザに使用されるデジタル放送受信装置であって、予め所定のデジタル放送事業者との契約により当該デジタル放送の視聴のために得た解除情報が記憶されたカードを固定的に装着した第１のカード装着部と、任意のデジタル放送の視聴のために得た解除情報が記憶されたカードを着脱自在に装着する第２のカード装着部と、この第２のカード装着部にカードが装着されている場合はそのカードに記憶された解除情報を、装着されていない場合は上記第１のカード装着部に装着されているカードに記憶された解除情報を選択的に読出してそのデジタル放送を視聴するための解除処理を実行させるカード制御手段とを具備したことを特徴とする。
【００１０】
請求項２記載の発明は、上記請求項１記載の発明において、通信回線を介して上記施設外部との通信を行なう通信手段と、上記第２のカード装着部にカードが装着されている場合は上記通信回線を接続可能とし、装着されていない場合は上記通信回線を遮断する通信制御手段とをさらに具備したことを特徴とする。
【００１１】
請求項３記載の発明は、上記請求項１記載の発明において、上記カード制御手段は、ユーザの選択操作を受付けて、上記第１のカード装着部に装着されたカードと第２のカード装着部に装着されているカードの一方から解除情報を読出すことを特徴とする。
【００１２】
請求項４記載の発明は、上記請求項１記載の発明において、上記第１のカード装着部及び上記第２のカード装着部の少なくとも一方は複数枚のカードを装着可能としたことを特徴とする。
【発明の効果】
【００１３】
請求項１記載の発明によれば、不特定多数のユーザが使用する施設内で、第１のカード装着部に装着されたカードは抜出すことができないようにするので、一旦装置を設置してしまえば以後施設を管理する側には一切の負担をかけることなく、普段はＣＡＳカードのようなデジタル放送の契約視聴カードを所持していないユーザもある程度のデジタル放送は視聴することが可能となり、且つ普段からＣＡＳカードを所持、使用しているユーザにも普段通りの視聴環境を与えることが可能となる。
【００１４】
請求項２記載の発明によれば、上記請求項１記載の発明の効果に加えて、第２のカード装着部にＣＡＳカードが装着された場合にのみ通信回線を接続可能として、第２のカードを所持している当該ユーザがカードＩＤ番号を基に登録したデータ放送の双方向サービスなどを利用可能としてサービスの向上を図る一方、第２のカードが装着されていない場合には一律に通信回線を遮断するため、第２のカードが装着されていない状態で通信回線が接続されてしまうことによるトラブルを未然に回避し、施設管理側の負担を軽減することができる。
【００１５】
請求項３記載の発明によれば、上記請求項１記載の発明の効果に加えて、第２のカード装着部に装着したカードと第１のカード装着部に固定的に装着されているカードの双方を任意選択操作により自由に切り換えて所望するデジタル放送を視聴することができる。
【００１６】
請求項４記載の発明によれば、上記請求項１記載の発明の効果に加えて、カードの追加等にも容易に対応し、視聴可能なデジタル放送の数を増やすことができるだけでなく、例えば試験期間における無料視聴キャンペーンのためのカードなど、デジタル放送の普及に貢献できるサービス展開にも対応できる。
【発明を実施するための最良の形態】
【００１７】
以下本発明を例えばホテル施設館内に設置したデジタル放送受信装置に適用した場合の実施の一形態について図面を参照して説明する。
【００１８】
図１は、ホテル館内のデジタルテレビ放送システムを経由して放送信号を受け取るデジタル放送受信装置の構成を示すものである。同図で、ＢＳ・ＣＳデジタル放送アンテナ１で受信し、図示しないコンバータで周波数変換した中間周波信号と、地上波デジタル放送アンテナ２で受信した信号とが混合器３で同一周波数軸上に配列されて混合された後に、このシステムの配信網を構成する同軸伝送ライン４を通じて、ホテル館内の各客室内に配置されたデジタル放送受信装置５まで伝送される。
【００１９】
デジタル放送受信装置５は、リモコンパッド６での操作に対応した選局動作を実行するもので、同軸伝送ライン４から送られてきた信号は分波器１１でＢＳ・ＣＳデジタル放送の中間周波信号と、地上波デジタル放送の受信信号とに分波され、デジタル放送受信部１２の図示しないＢＳ・ＣＳデジタルチューナ及び地上波デジタルチューナに送られる。
【００２０】
デジタル放送受信部１２では、後述する制御部１８からの信号に基づいて、上記リモコンパッド６での選局操作に対応したチャンネルを上記ＢＳ・ＣＳデジタルチューナまたは地上波デジタルチューナで選局し、該当するチャンネルのトランスポートストリーム（ＴＳ）を復調して出力する。
【００２１】
このデジタル放送受信部１２内では、復調したトランスポートストリームに対し、デマルチプレクサで多重化されているＭＰＥＧ（Ｍｏｖｉｎｇ  Ｐｉｃｔｕｒｅ  ｃｏｄｉｎｇ  Ｅｘｐｅｒｔ  Ｇｒｏｕｐ）２規格のビデオ・オーディオ情報と個別情報のＥＭＭ（Ｅｎｔｉｔｌｅｍｅｎｔ  Ｍａｎａｇｅｍｅｎｔ  Ｍｅｓｓａｇｅ）情報と番組情報、制御信号のＥＣＭ（Ｅｎｔｉｔｌｅｍｅｎｔ  Ｃｏｎｔｒｏｌ  Ｍｅｓｓａｇｅ）情報に分離する。
【００２２】
そして、後述するＣＡＳカードに記憶された情報に従い、上記ＥＣＭ情報のスクランブルを解除してビデオ・オーディオ信号のデスクランブル制御を行ない、時間的に連続した映像データとステレオ音声データとを再生し、映像データを映像出力端子１３より、音声データを音声出力端子１４よりそれぞれ出力する。
【００２３】
これら映像出力端子１３及び音声出力端子１４は、このデジタル放送受信装置５と共に客室内に設置された、図示しないテレビ受像機のビデオ入力端子に接続されるもので、当該テレビ受像機は、それ自体のチューナは使用せず、デジタル放送受信装置５で選局されたデジタル放送のモニタ出力機として機能する。
【００２４】
さらにこのデジタル放送受信装置５には、第１のＣＡＳカードスロット１５及び第２のＣＡＳカードスロット１６を備える。  
第１のＣＡＳカードスロット１５は、このホテルの管理者がＢＳ・ＣＳデジタル放送の事業者との契約に基づいた暗号鍵等の情報を記憶した第１のＣＡＳカードを装着するもので、このホテルの客室を使用するユーザ（宿泊客）には容易に抜出すことができないよう、デジタル放送受信装置５の外面には一切露出せず、内蔵するものとする。
【００２５】
一方の第２のＣＡＳカードスロット１６は、このホテルの客室を使用するユーザが所持するＣＡＳカードや、またはユーザのリクエストでホテル管理者が提供するＣＡＳカードを任意に着脱可能とするべく、その挿入口がデジタル放送受信装置５の外面に形成されるものとする。
【００２６】
図２は、上記第１のＣＡＳカードスロット１５と第２のＣＡＳカードスロット１６のデジタル放送受信装置５での実装状態を例示するものである。同図で、５ａは上記デジタル放送受信装置５の前面外装パネルであり、この前面外装パネル５ａに形成されたカード挿入口５ａ１に対応するようにして第２のＣＡＳカードスロット１６が配設され、ユーザが持参した第２のＣＡＳカード１６ａを任意に挿入可能とする。一方、この第２のＣＡＳカードスロット１６に対して、予め第１のＣＡＳカードを装着した第１のＣＡＳカードスロット１５を併せて配設する。
【００２７】
この第１のＣＡＳカードスロット１５は、上述した如く第２のＣＡＳカードスロット１６のような前面外装パネル５ａの対応する位置にＣＡＳカードの挿入口をあえて形成しておらず、ＣＡＳカードが装着されていること自体をユーザに認識させないと共に、装着しているＣＡＳカードはユーザが勝手に抜出すことができないものとする。
【００２８】
なお、この第１のＣＡＳカードスロット１５に固定的に装着された第１のＣＡＳカードには、このホテルの管理者側により経営上少なくとも最低限必要と考えられる、複数のデジタル放送の業者との契約により、例えば無料番組と双方向サービスを除くデータ放送、及び有料番組を除くラジオ番組等が視聴可能な各種暗号鍵等が予め記憶されているものとする。
【００２９】
図１に戻って、上記第１のＣＡＳカードスロット１５と第２のＣＡＳカードスロット１６は共にカード制御部１７に接続される。カード制御部１７は、第１のＣＡＳカードスロット１５、第２のＣＡＳカードスロット１６にそれぞれ装着されたＩＣカードである各ＣＡＳカードの端子部と電気的に接続され、常時は第１のＣＡＳカードスロット１５のデータの読出し／書込みを行なうが、第２のＣＡＳカードスロット１６に第２のＣＡＳカード１６ａが装着されると、当該スロット１６に付設された図示しないカード検知センサからの検知信号に基づいて第２のＣＡＳカード１６ａへと接続を切換え、この第２のＣＡＳカード１６ａに記憶されているデータの読出しとこの第２のＣＡＳカード１６ａへのデータの書込みを実行するもので、それらの動作は全てそれぞれのＣＡＳカードと制御部１８の制御に基づいて行なわれる。
【００３０】
この制御部１８は、第１のＣＡＳカードスロット１５及び第２のＣＡＳカードスロット１６に装着されている各ＣＡＳカードの内容と上記リモコンパッド６からの操作信号に対応した上記デジタル放送受信部１２での選局動作を制御するものであり、上記カード制御部１７の他に、モデム２１及びリモコン受光部２２を接続する。
【００３１】
モデム２１は、電話回線接続部２０を介して電話回線接続端子１９を接続しており、制御部１８からの制御に基づいて、ペイ・パー・ビューを含む有料放送の視聴情報履歴などを図示しない視聴情報センタへ伝送する場合や、データ放送の双方向サービスを行なう場合などに各種情報等を電話回線接続部２０を介して電話回線接続端子１９より図示しない電話回線へ出力する。
【００３２】
電話回線接続部２０は、カード制御部１７からの指示により電話回線接続端子１９に接続された電話回線とモデム２１との間の接続と遮断とを選択的に実行するものである。
【００３３】
リモコン受光部２２は、上記リモコンパッド６での操作に対応した赤外線変調信号を例えばフォトトランジスタなどの受光センサで受信し、その受光信号を復調して得た操作信号を上記制御部１８へ送出する。
【００３４】
次に上記実施の形態の動作について説明する。  
図３は、ホテルの各客室に設置されたデジタル放送受信装置５のカード制御部１７及び制御部１８が実行する、最も基本的なＣＡＳカードの装着状態に対応した処理内容である。
【００３５】
その当所に、カード制御部１７は第２のＣＡＳカードスロット１６にＣＡＳカードが装着されたか否かを判断し（ステップＳ０１）、第２のＣＡＳカードがその客室のユーザによって装着されていないと判断すると、第１のＣＡＳカードスロット１５に固定的に装着されている第１のＣＡＳカードの記憶内容に基づいた視聴制御を実行する（ステップＳ０２）。
【００３６】
このとき、電話回線接続部２０はカード制御部１７の指示により電話回線接続端子１９とモデム２１との間を遮断しており、電話回線を通じて何らかの信号を一切発信することができない状態としている。
【００３７】
この状態でリモコンパッド６が操作されると、その操作信号がリモコン受光部２２で受信、復調されて操作内容が制御部１８へ送出される。
【００３８】
リモコンパッド６での操作がデータ放送の双方向サービスなどでリクエスト情報の発信を指示するものであった場合、制御部１８がこれに対応する信号をモデム２１より発信させたとしても、電話回線接続部２０により電話回線への接続が遮断されていることから、実際の発信はなされない。
【００３９】
また、リモコンパッド６の操作がＢＳデジタル放送のチャンネル番号を指定するものであった場合、制御部１８は、デジタル放送受信部１２内のＢＳ・ＣＳデジタルチューナにより当該チャンネルを選局させ、復調されたトランスポートストリームをデマルチプレクサで上記ビデオ・オーディオ信号に分離させた上で、番組契約情報及び暗号鍵情報を解析する。
【００４０】
制御部１８は、カード制御部１７を通じて第１のＣＡＳカードスロット１５に固定的に装着されている第１のＣＡＳカードの契約情報メモリに記憶された契約情報と、上記解析した番組契約情報との照合を行ない、契約されている場合にのみ、暗号鍵を基に上記ビデオ・オーディオ信号のスクランブルを解除し、ＡＶデコーダにて映像データ及び音声データを再生させる。再生された映像データ及び音声データは、それぞれ所定の処理が施された上で映像出力端子１３、音声出力端子１４より図示しないテレビ受像機へ出力される。
【００４１】
このように、制御部１８は第１のＣＡＳカードスロット１５に固定的に装着された第１のＣＡＳカードの内容に基づいた視聴制限を実施しながら、ステップＳ０１，Ｓ０２の処理を繰返し実行することで、第２のＣＡＳカードスロット１６にユーザの持参する第２のＣＡＳカードが装着されるのを待機する。
【００４２】
しかして第２のＣＡＳカードスロット１６にユーザが持参するか、ユーザのリクエストによりホテル管理者が提供する第２のＣＡＳカードが装着されると、第２のＣＡＳカードスロット１６に付設されたカード検知センサがこれを検出してカード制御部１７に検出信号を送出し、これを受けたカード制御部１７が制御部１８に通知する。
【００４３】
制御部１８はカード制御部１７からの通知によりステップＳ０１でこれを判断し、今度は第２のＣＡＳカードスロット１６に新たに装着された第２のＣＡＳカードの記憶内容に基づいた視聴制御を実行するもので、このとき同時にカード制御部１７は、電話回線接続部２０への指示により電話回線接続端子１９を介して電話回線とモデム２１との間の遮断を一時解除し、電話回線を接続可能な状態とする（ステップＳ０３）。
【００４４】
このステップＳ０３の状態を維持しながら、併せてさらにこの第２のＣＡＳカードが第２のＣＡＳカードスロット１６から抜出されていないことを確認する（ステップＳ０４）、という処理を繰返し実行することで、第２のＣＡＳカードが抜出されるのを待機する。
【００４５】
この状態でも、制御部１８はこの第２のＣＡＳカードが装着されていなかった場合と同様にリモコンパッド６からの操作信号を受付けてそのチャンネルの視聴を判断するが、今度は第２のＣＡＳカードの契約情報メモリに記憶されている契約情報を基として視聴制限を行なう。
【００４６】
ここで、例えば第２のＣＡＳカードにペイ・パー・ビューの契約がなされており、そのチャンネルで有料番組の視聴を行なった場合には、カード制御部１７によりこの第２のＣＡＳカードに購入履歴が書込まれることとなるが、その放送事業者に対しては第２のＣＡＳカードを所持しているユーザ個人が料金の支払い処理を行なえばよいので、ホテル側には何ら不都合を生じない。
【００４７】
また、電話回線が接続可能となっているため、ユーザがリモコンパッド６でデータ放送の双方向サービスなどでリクエスト情報の発信を指示した場合には、制御部１８がこれに対応する信号をモデム２１より電話回線接続部２０、電話回線接続端子１９を介して確実に電話回線に発信させる。
【００４８】
しかして、第２のＣＡＳカードスロット１６から第２のＣＡＳカードが抜出されると、第２のＣＡＳカードスロット１６に付設されたカード検知センサからの検出信号によりカード制御部１７を介して制御部１８がステップＳ０４でこれを判断する。
【００４９】
このときカード制御部１７は、直ちに電話回線接続部２０により電話回線とモデム２１との間の接続を遮断させると共に、第２のＣＡＳカードスロット１６に代えて第１のＣＡＳカードスロット１５を切換選択して（ステップＳ０５）、再び上記ステップＳ０１からの第１のＣＡＳカードスロット１５に固定的に装着されている第１のＣＡＳカードの内容に基づいた視聴制限の状態に復帰する。
【００５０】
このように、例えばホテルなどのような、不特定多数のユーザが使用する施設内で、第１のＣＡＳカードスロット１５に装着されたＣＡＳカードは容易に抜出すことができないようにするので、一旦デジタル放送受信装置５を各客室に設置してしまえば、以後施設を管理する側には一切の負担をかけることなく、普段はＣＡＳカードのようなデジタル放送の契約視聴カードを所持していないユーザも施設管理側の契約によりある程度のデジタル放送は視聴することが可能となり、且つ普段からＣＡＳカードを所持、使用しているユーザにも普段通りの視聴環境を与えることが可能となる。
【００５１】
加えて、第２のＣＡＳカードスロット１６に第２のＣＡＳカードが装着されている場合にのみ、電話回線接続部２０によりモデム２１と電話回線接続端子１９との間の遮断を解除して電話回線と接続可能とする。
【００５２】
これにより、第２のカードを所持している当該ユーザがカードＩＤ番号を基に登録したデータ放送の双方向サービスなどを利用することが可能となり、一層のサービスの向上を図ることができる一方で、第２のカードが装着されていない場合には電話回線が接続されてしまうことによるトラブルを未然に回避し、施設管理側の負担を軽減することができる。
【００５３】
なお、上記実施の形態では、デジタル放送受信装置５の第２のＣＡＳカードスロット１６に第２のＣＡＳカードが装着された時点でこれを判断し、自動的に第２のＣＡＳカードに記憶されている契約内容にしたがった視聴制限を行なう状態に切り換えるものとしたが、このような第２のＣＡＳカードの装着の検出に加えて、例えばリモコンパッド６でのキー操作に対応して任意タイミングで予め固定的に装着されている第１のＣＡＳカードと第２のＣＡＳカードとを切り換えて視聴制限の状態を可変できるものとしてもよい。
【００５４】
こうすることで、第２のＣＡＳカードを第２のＣＡＳカードスロット１６に装着したユーザも、普段自分が利用している視聴環境のみならず、施設管理者側が用意した視聴環境に簡単なキー操作のみで容易に移行できる。
【００５５】
また上記実施の形態では、予め固定的に第１のＣＡＳカードスロット１５に装着される第１のＣＡＳカードと、ユーザが任意に第２のＣＡＳカードスロット１６に装着する第２のＣＡＳカードが共に１枚である場合についてのみ例示したが、本発明はこれに限らず、第１のＣＡＳカードスロット１５及び第２のＣＡＳカードスロット１６の少なくとも一方が複数枚のＣＡＳカードを装着可能な複数スロット構成を有するものとしても良い。
【００５６】
こうすることで、ＣＡＳカードの追加等にも容易に対応し、視聴可能なデジタル放送の数を増やすことができるだけでなく、例えば試験期間における無料視聴キャンペーンのためのＣＡＳカードなど、将来のデジタル放送の普及に貢献できるような種々のサービス展開にも対応できるようになる。
【００５７】
さらに上記実施の形態は、デジタル放送の視聴制限を実施するカードとして、単にＣＡＳカードを用いるものとして説明したが、具体的にはＢＳ・ＣＳデジタル放送用のＢ−ＣＡＳカードが考えられる他、ＣＡＳカード以外の視聴制限を行なうデジタル放送用カードについても本発明は容易に適用し得る。
【００５８】
また上記実施の形態では、デジタル放送受信装置５に電話回線が接続され、適宜双方向通信等を実現するものとして説明したが、本発明はこれに限らず、通信手段としては有線と無線、ＬＡＮ（構内ネットワーク網）とＷＡＮ（広域ネットワーク網）の別なく、各種の通信回線やネットワーク網等も同様に適用することができるものとする。
【００５９】
その他、本発明は上記実施の形態に限らず、その要旨を逸脱しない範囲内で種々変形して実施することが可能であるものとする。
【００６０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００６１】
【図１】本発明の実施の一形態に係る主としてデジタル放送受信装置の構成を示すブロック図。
【図２】同実施の形態に係る第１及び第２の各ＣＡＳカードスロットの実装状態を例示する斜視図。
【図３】同実施の形態に係る制御部が実行するデジタル放送の視聴制限の基本的な処理内容を示すフローチャート。
【符号の説明】
【００６２】
１…ＢＳ・ＣＳデジタル放送アンテナ、２…地上波デジタル放送アンテナ、３…混合器、４…同軸伝送ライン、５…デジタル放送受信装置、５ａ…前面外装パネル、５ａ１…カード挿入口、６…リモコンパッド、１１…分波器、１２…デジタル放送受信部、１３…映像出力端子、１４…音声出力端子、１５…第１のＣＡＳカードスロット、１６…第２のＣＡＳカードスロット、１６ａ…第２のＣＡＳカード、１７…カード制御部、１８…制御部、１９…電話回線接続端子、２０…電話回線接続部、２１…モデム、２２…リモコン受光部。
【図１】
2005167993.tif 000003
【図２】
2005167993.tif 000004
【図３】
2005167993.tif 000005